(57)【要約】【課題】電磁石への通電により施錠するように構成された電気錠において、電気的な制御にかかわらず適切に解錠することが可能なシステムを提供する。【解決手段】電気錠システムＡ１は、戸枠６と、戸枠６に対して開閉移動する戸７と、戸枠６に設けられた電磁石１と、戸７の閉時に戸７における電磁石１と対向し、電磁石１の通電時に電磁吸引力によって電磁石１に吸着される吸着体２と、を備える電気錠システムＡ１であって、電磁石１への配線３の途中に設けられ、機械的な外力により、配線３の接続状態または遮断状態を選択できるスイッチ４と、戸７に設けられ、施錠・解錠操作を行うスイッチ切換装置５と、戸７に設けられ、スイッチ切換装置５において、施錠操作時にスイッチ４における配線３の接続状態を選択し、解錠操作時にスイッチ４における配線３の遮断状態を選択するようにスイッチ４に向けて進退動する可動部と、を備える。【選択図】図２
2014169583.tif 000002
【特許請求の範囲】
【請求項１】
戸枠と、この戸枠に対して開閉移動する戸と、上記戸枠に設けられた電磁石と、上記戸の閉時に当該戸における上記電磁石と対向する位置に設けられ、上記電磁石の通電時に電磁吸引力によって上記電磁石に吸着される吸着体と、を備える電気錠システムであって、
上記電磁石への配線途中に設けられ、機械的な外力により、上記配線の接続状態または遮断状態を選択できるスイッチ手段と、
上記戸に設けられ、施錠・解錠操作を行う施解錠操作部と、
上記戸に設けられ、上記施解錠操作部において、施錠操作が行われたときに上記スイッチ手段における上記配線の接続状態を選択し、解錠操作が行われたときに上記スイッチ手段における上記配線の遮断状態を選択するように上記スイッチ手段に向けて進退動する可動部と、を備えることを特徴とする、電気錠システム。
【請求項２】
上記スイッチ手段は、上記可動部の進出動作によって押下されるときに上記配線の接続状態から上記配線の遮断状態に切り換える切換ボタンを備える、請求項１に記載の電気錠システム。
【請求項３】
上記可動部に対して後退させる方向への付勢力を付与する第１の付勢部材を備える、請求項１または２に記載の電気錠システム。
【請求項４】
上記戸における上記スイッチ手段を向く第１端部には、上記可動部を出没させるための第１開口が形成されており、
上記戸枠における上記戸を向く第２端部には、上記第１開口に対向し、上記可動部が進入可能な第２開口が形成されている、請求項１ないし３のいずれかに記載の電気錠システム。
【請求項５】
上記第２開口と上記スイッチ手段との間に位置し、かつ上記可動部が進出する方向である第１方向に直角な第２方向に延びる回動軸周りに回動可能である回動板を備える、請求項３に記載の電気錠システム。
【請求項６】
上記回動板に対して上記スイッチ手段から遠ざかるように回動する方向への付勢力を付与する、第２の付勢部材をさらに備える、請求項５に記載の電気錠システム。
【発明の詳細な説明】
【技術分野】
【０００１】
本発明は、電磁石による電磁吸引力を利用して戸が閉じる状態を維持するように構成された電気錠を具備するシステムに関する。
【背景技術】
【０００２】
建物内の引き戸や開き戸を施錠するための装置として、電磁石による電磁吸引力を利用した電気錠が知られている（たとえば、特許文献１を参照）。特許文献１に記載されているように、電磁石を利用した電気錠は、電磁石と、この電磁石に吸着される金属板（吸着体）とを備えて構成されている。電磁石は戸枠に設けられる一方、吸着体は、戸が閉じた状態（閉時）における上記電磁石と対向する位置に設けられている。そして、戸の閉時においては、上記電磁石への通電により生じる電磁吸引力によって、吸着体が電磁石に吸着保持される。このようにして戸が閉じた状態が維持される（施錠状態）。上記電磁石への通電を終了すると、電磁吸引力が消滅し、戸を開くことができる（解錠状態）。
【０００３】
上記のような電磁石を用いた電気錠は、たとえば高齢者施設や病院において部屋ごとの各扉に設置され、これら複数の電気錠が制御盤によって集中管理される。これら電気錠の使用態様としては、たとえば病棟において就寝時等の所定の時間帯に各部屋に設置された電気錠を一斉に施錠状態とすることにより、入院患者や関係者以外の部外者が部屋に侵入することは防止される。したがって、各部屋を個別に施錠する場合に比べ、施錠し忘れなどの不都合を防止することができ、効率よくセキュリティの向上を図ることができる。
【０００４】
その一方、上記のように複数の電気錠が一斉に施錠される使用態様において、たとえば、入院患者が部屋を出入りする場合には、管理者に連絡をとり、当該管理者が制御盤を操作することにより、電気錠を個別に解錠する。このように電気錠を個別に解錠する要望に対しては、その都度管理者へ連絡する必要があるので、煩わしい面があるとともに、迅速な対応が困難な場合が生じ得た。
【０００５】
また、電気錠が施錠された状態において、万一、システムの何らかの異常によって制御盤の操作では解錠できないような不具合が生じると、不当に部屋の出入りができなくなる場合があり、安全面で却って問題があった。
【先行技術文献】
【特許文献】
【０００６】
【特許文献１】特開２００８−１７９９６３号公報
【発明の概要】
【発明が解決しようとする課題】
【０００７】
本発明は、上記した事情のもとで考え出されたものであって、電磁石への通電により施錠するように構成された電気錠において、電気的な制御にかかわらず適切に解錠することが可能なシステムを提供することを課題とする。
【課題を解決するための手段】
【０００８】
本発明によって提供される電気錠システムは、戸枠と、この戸枠に対して開閉移動する戸と、上記戸枠に設けられた電磁石と、上記戸の閉時に当該戸における上記電磁石と対向する位置に設けられ、上記電磁石の通電時に電磁吸引力によって上記電磁石に吸着される吸着体と、を備える電気錠システムであって、上記電磁石への配線途中に設けられ、機械的な外力により、上記配線の接続状態または遮断状態を選択できるスイッチ手段と、上記戸に設けられ、施錠・解錠操作を行う施解錠操作部と、上記戸に設けられ、上記施解錠操作部において、施錠操作が行われたときに上記スイッチ手段における上記配線の接続状態を選択し、解錠操作が行われたときに上記スイッチ手段における上記配線の遮断状態を選択するように上記スイッチ手段に向けて進退動する可動部と、を備えることを特徴としている。
【０００９】
本発明の好ましい実施の形態においては、上記スイッチ手段は、上記可動部の進出動作によって押下されるときに上記配線の接続状態から上記配線の遮断状態に切り換える切換ボタンを備える。
【００１０】
本発明の好ましい実施の形態においては、上記可動部に対して後退させる方向への付勢力を付与する第１の付勢部材を備える。
【００１１】
本発明の好ましい実施の形態においては、上記戸における上記スイッチ手段を向く第１端部には、上記可動部を出没させるための第１開口が形成されており、上記戸枠における上記戸を向く第２端部には、上記第１開口に対向し、上記可動部が進入可能な第２開口が形成されている。
【００１２】
本発明の好ましい実施の形態においては、上記第２開口と上記スイッチ手段との間に位置し、かつ上記可動部が進出する方向である第１方向に直角な第２方向に延びる回動軸周りに回動可能である回動板を備える。
【００１３】
本発明の好ましい実施の形態においては、上記回動板に対して上記スイッチ手段から遠ざかるように回動する方向への付勢力を付与する、第２の付勢部材をさらに備える。
【００１４】
本発明のその他の特徴および利点は、添付図面を参照して以下に行う詳細な説明によって、より明らかとなろう。
【図面の簡単な説明】
【００１５】
【図１】本発明に係る電気錠システムの一例を示す概略正面図であり、戸が開いた状態を表す。
【図２】図１に示す電気錠システムの戸が閉じた状態を表す。
【図３】図２のＩＩＩ−ＩＩＩ線に沿う部分拡大断面図である。
【図４】図２のＩＶ−ＩＶ線に沿う部分拡大断面図である。
【図５】図４のＶ−Ｖ線に沿う部分拡大断面図である。
【図６】可動部が進出し、スイッチ手段において配線の遮断状態が選択されるときを示す、図５と同様の図である。
【発明を実施するための形態】
【００１６】
以下、本発明の好ましい実施の形態につき、図面を参照して具体的に説明する。
【００１７】
図１〜図６は、本発明に係る電気錠システムの一例を示している。本実施形態の電気錠システムＡ１は、建物内の扉を施錠するためのものであり、図１、図２に表れているように、たとえば部屋の出入口としての引き戸に適用した場合を示している。電気錠システムＡ１は、戸枠６に設けられる電磁石１と、引き戸７に設けられる吸着体２と、配線３と、スイッチ４と、スイッチ切換装置５とを備えて構成されている。引き戸７は、周知のように横方向（戸枠７の横枠部６１）に沿ってスライド移動可能とされており、図１に示すように左端部が戸枠６の縦枠部６２に突き当たる状態が閉じた状態であり、図２に示すように当該閉じた状態から右側にスライド移動させた状態が開いた状態である。
【００１８】
電磁石１は、戸枠６の縦枠部６２に設けられており、ケース１１の内部に収容されている。より詳細には、図３に示すように、縦枠部６２の右端部にはケース１１を嵌入するための凹部が形成されており、ケース１１は、当該凹部に嵌め込まれた状態でねじ止めなどの適宜手段を用いて縦枠部６２に固定される。
【００１９】
電磁石１は、詳細な図示説明は省略するが、たとえば鉄心およびこれに巻回されたコイルを備えて構成されている。この電磁石１に電流が供給（通電）されて励磁されると、後述する吸着体２が吸着される。ケース１１は、たとえばアルミニウムなどの非磁性材料からなる。
【００２０】
吸着体２は、たとえば鉄などの軟磁性材料からなる金属板であり、引き戸７の閉時において電磁石１と対向する位置に設けられている。より詳細には、図３に示すように、引き戸７の左端部には吸着体２を嵌入するための凹部が形成されており、吸着体２は、この凹部に嵌め込まれた状態でねじ止めなどの適宜手段を用いて引き戸７に固定される。
【００２１】
配線３は、電磁石１に電流を供給（通電）するためのものであり、縦壁部６２の適所に設けられている。配線３は、電磁石１（上記コイル）に接続されている。
【００２２】
スイッチ４は、配線３の途中に設けられており、本実施形態においては、電磁石１よりも高い位置に設けられている。スイッチ４は、戸枠６（縦枠部６２）に設けられた取付ケース６３に収容されている。図４に示すように、取付ケース６３は、縦枠部６２の右端部に形成された凹部に嵌入された状態で当該縦枠部６２に固定されている。
【００２３】
スイッチ４は、機械的な外力により、配線３の接続状態または遮断状態を選択することができるように構成されたものである。詳細な説明は省略するが、スイッチ４は、マイクロスイッチ（図示略）が封入されるとともに、当該マイクロスイッチの接点を切り換えるための切換ボタン４１を有する。スイッチ４は、切換ボタン４１が押下されていないときには配線３が接続された状態にあり、電磁石１への通電を許容する。その一方、切換ボタン４１が押下されると、上記接点が切り換わって配線３が遮断された状態になり、電磁石１への通電が遮断される。
【００２４】
また、スイッチ４は、切換ボタン４１が押下される間だけ配線３の遮断状態が選択されて電磁石１への通電が遮断され、切換ボタン４１の押下を解放すると配線３の接続状態が選択されて電磁石１への通電が許容される、いわゆるモーメンタリスイッチとして構成されている。切換ボタン４１は、引き戸７側（図４における右側）に向いて突出している。取付ケース６３（戸枠６）における引き戸７を向く端部（第２端部）には、開口６３ａ（第２開口）が形成されている。
【００２５】
上記スイッチ４と上記開口６３ａとの間には、当て板４２（回動板）が設けられている。当て板４２は、後述のトリガー５１が進出する方向ｘ（第１方向）に直角である方向ｙ（第２方向）に延びる回動軸Ｏ１周りに回動可能である。当て板４２の軸部には、ねじりコイルばね４３が装着されている。当て板４２は、ねじりコイルばね４３によって、スイッチ４から遠ざかるように回動する方向（図６中矢印Ｎ１方向）への付勢力が付与されている。ねじりコイルばね４３は、本発明でいう第２の付勢部材に相当する。当て板４２の意義については後述する。
【００２６】
スイッチ切換装置５は、本実施形態の電気錠システムＡ１について、スイッチ４を切り換えることによって機械的に施錠・解錠操作を行うためのものであり、引き戸７に設けられている。スイッチ切換装置５は、スイッチ４と対向する位置に設けられており、取付ケース７１の内部に収容されたトリガー５１（可動部）およびカム機構５２を備えて構成されている。図４に示すように、取付ケース７１は、引き戸７における左端部に形成された凹部に嵌入された状態で当該引き戸７に固定されている。
【００２７】
トリガー５１は、板状の基端部５１１と、この基端部５１１につながってスイッチ４側に延びるシャフト部５１２とを有する。図５に示すように、基端部５１１には、カム溝５１１ａが形成されている。シャフト部５１２の先端は丸みを帯びている。トリガー５１は、スイッチ４側である方向ｘに沿って進退動可能な状態で取付ケース７１に支持されている。
【００２８】
図４、図５に示すように、取付ケース７１の左端部には、トリガー５１のシャフト部５１２を出没させるための開口７１ａ（第１開口）が形成されている。開口７１ａは、戸枠６（取付ケース６３）に形成された開口６３ａに対向している。
【００２９】
カム機構５２は、トリガー５１を進退動させるためのものであり、カム溝５１１ａと、回転部材５２１に設けられたカムピン５２１ａとを含んで構成される。回転部材５２１は、取付ケース７１に対して回転軸Ｏ２周りに回転可能に支持されている。カムピン５２１ａは、回転軸Ｏ２から偏倚した位置に設けられており、カム溝５１１ａに係合している。回転部材５２１が回転すると、カムピン５２１ａがカム溝５１１ａに沿って移動し、これに伴いトリガー５１が方向ｘに沿って進退動する。
【００３０】
図５に示すように、本実施形態では、トリガー５１のシャフト部５１２には、圧縮コイルばね５３（第１の付勢部材）が外嵌されている。圧縮コイルばね５３は、トリガー５１に対して後退させる方向への付勢力を付与するためのものである。
【００３１】
本実施形態において、図４に表れているように、回転部材５２１の軸方向一方側にはキーシリンダ５４が設けられ、回転部材５２１の軸方向他端側にはサムターン５５が設けられている。キーシリンダ５４およびサムターン５５は、スイッチ切換装置５の施錠・解錠操作を担う部材である。キーシリンダ５４またはサムターン５５について施錠操作が行われたときには、図４、図５に示すように、トリガー５１はスイッチ４に対して後退する退避位置をとっている。
【００３２】
一方、キーシリンダ５４またはサムターン５５について解錠操作が行われたときには、図６に示すように、回転部材５２１が回転し、トリガー５１は、スイッチ４側に進出して進出位置をとる。このとき、トリガー５１のシャフト部５１２は、開口７１ａおよび開口６３ａを通じて当て板４２を押し付け、この当て板４２によって切換ボタン４１が押し込まれる。このように切換ボタン４１が押し込まれると、配線３は遮断状態となり、電磁石１への通電は遮断される。
【００３３】
本実施形態の電気錠システムＡ１は、たとえば、高齢者施設や病院において部屋ごとの各扉に設置され、設置場所から離れた管理室等に配備された制御盤によって遠隔操作される。制御盤は、施設内に設置された複数の電気錠システムＡ１と連携しており、これら電気錠システムＡ１を集中管理している。
【００３４】
これら電気錠システムＡ１の制御については、たとえば各部屋に設置された電気錠システムＡ１を所定の時刻に一斉に施錠・解錠する。ここで、電気錠システムＡ１の施錠は、引き戸７が閉まった状態にて電磁石１に通電することにより行う。電磁石１の通電時には、当該電磁石１の電磁吸引力によって吸着体２が吸着され、引き戸７が閉じた状態が維持される。一方、電気錠システムＡ１の解錠は、電磁石１への通電を遮断することにより行う。電磁石１への通電が終了すると、当該電磁石１による電磁吸引力が消滅し、引き戸７を開くことが可能となる。
【００３５】
本実施形態の電気錠システムＡ１においては、上述のように、機械的な外力により、電磁石１への配線３の接続状態または遮断状態を選択可能なスイッチ４を備えている。そして、スイッチ切換装置５を用いて施錠・解錠操作を行い、トリガー５１を進退動させることにより、スイッチ４に機械的に作用して、配線３の接続状態と遮断状態を切り換えることができる。このような構成によれば、スイッチ切換装置５を解錠操作することにより、配線３を遮断状態とし、電磁石１への通電を遮断することができる。したがって、本実施形態の電気錠システムＡ１によれば、電磁石１に対する電気的な制御による施錠・解錠状態にかかわらず、適切に解錠することが可能である。
【００３６】
その結果、複数の電気錠システムＡ１について一斉に施錠状態とするように制御される場合において、たとえば部屋の出入について権限が与えられた者がキーシリンダ５４またはサムターン５５によって解錠操作を行うことにより、各電気錠システムＡ１を個別に解錠することができる。したがって、電気錠システムＡ１を個別に解錠する要望に対しても、迅速な対応が可能である。また、万一、電気錠システムＡ１の制御に不具合が生じて、電気的制御によって施錠状態から解錠することができない場合であっても、スイッチ切換装置５（施解錠操作部）を用いた機械的な解錠操作によって、解錠することが可能である。このことは、安全面で有利である。
【００３７】
本実施形態において、スイッチ４は戸枠６に設けられる一方、機械的な施解錠操作を行うスイッチ切換装置５は、スライド移動する引き戸７に設けられている。そして、本実施形態においては、固定側のスイッチ４と、引き戸７が閉時であるときの移動側のスイッチ切換装置５との連携動作によって、機械的に解錠することができる。
【００３８】
スイッチ４には、押下されるときに配線３の接続状態から遮断状態に切り換える切換ボタン４１が設けられている。切換ボタン４１は、引き戸７の閉時において、トリガー５１の進出動作によって押下される。切換ボタン４１が押下されると、配線３が遮断状態に切り換わり、機械的に解錠される。一方、その状態で引き戸７を開くと、トリガー５１は切換ボタン４１から離れるので、配線３が接続状態に戻る。このような構成によれば、引き戸７１が閉時であるときに、機械的な解錠を適切に行うことができる。
【００３９】
引き戸７の閉時において、スイッチ切換装置５（キーシリンダ５４またはサムターン５５）によって解錠操作がなされると、図６に示したようにトリガー５１は、引き戸７の開口７１ａおよび戸枠６の開口６３ａを通じてスイッチ４側に進出する。そして、トリガー５１は、圧縮コイルばね５３によって後退する方向へ付勢されている。このため、スイッチ切換装置５（キーシリンダ５４あるいはサムターン５５）によって解錠操作を行ったときに限り、スイッチ４において配線３が遮断状態となる。ここで、引き戸７を開いてスイッチ切換装置５から手を離すと、トリガー５１は圧縮コイルばね５３の弾性復元力によって引き戸７の開口７１ａから後退移動して、図５に示された位置（施錠操作が行われたときと同じ位置）に戻る。このような構成によれば、スイッチ切換装置５によってトリガー５１を進出させて機械的に解錠した後、引き戸７を開くと、トリガー５１は後退して取付ケース７１（引き戸７）内に収容されるので、外観上の体裁を良好に保つことができる。また、スイッチ切換装置５による機械的な解錠後に引き戸７を開き、トリガー５１が圧縮コイルばね５３の付勢力によって後退させられると、その後、引き戸７を閉じてもトリガー５１は後退したままであるので、電磁石１は通電しており施錠状態に戻る。すなわち、本実施形態によれば、トリガー５１の進出動作による機械的な解錠は一時的に行われ、再び引き戸７を閉じると施錠状態に戻るので、スイッチ切換装置５による解錠操作後に施錠し忘れるといった不都合は防止される。
【００４０】
スイッチ４と戸枠の開口６３ａとの間には、回動軸Ｏ１周りに回動可能な当て板４２が設けられている。これにより、トリガー５１が開口６３ａを通じてスイッチ４側に進出すると、トリガー５１のシャフト部５１２の先端が当て板４２を押し付け、当て板４２によって切換ボタン４１（スイッチ４）が押し込まれる。このようにトリガー５１の進出時に当て板４２を介してスイッチ４に機械的な外力を加える構成によれば、トリガー５１の先端によってスイッチ４に機械的な外力を直接加える場合に比べて、スイッチ４の耐久性を向上させることができる。
【００４１】
また、当て板４２には、ねじりコイルばね４３によってスイッチ４から遠ざかる方向への付勢力が付与されている。このため、トリガー５１が進出位置から後退すると、当て板４２は、スイッチ４から遠ざかる方向へ回動し、開口６３ａを覆う。したがって、開口６３ａを通じてゴミ等の異物がスイッチ４側に侵入するのを防止するとともに、引き戸７を開いた際に開口６３ａを目立たなくすることができる。
【００４２】
本発明に係る電気錠システムは、上述した実施形態に限定されるものではない。本発明に係る電気錠システムの各部の具体的な構成は、種々に設計変更自在である。
【００４３】
上記実施形態の電気錠システムは、引き戸に適用した場合を例に挙げて説明したものであるが、本発明に係る電気錠システムは、開き戸に適用することも可能である。
【符号の説明】
【００４４】
Ａ１      電気錠システム
Ｏ１      回動軸
ｘ        方向（第１方向）
ｙ        方向（第２方向）
１        電磁石
１１      ケース
２        吸着体
３        配線
４        スイッチ
４１      切換ボタン
４２      当て板（回動板）
４３      ねじりコイルばね（第２の付勢部材）
５        スイッチ切換装置
５１      トリガー（可動部）
５１１    基端部
５１１ａ    カム溝
５１２    シャフト部
５２      カム機構
５２１    回転部材
５２１ａ    カムピン
５３      圧縮コイルばね（第１の付勢部材）
５４      キーシリンダ（施解錠操作部）
５５      サムターン（施解錠操作部）
６        戸枠
６１      横枠部
６２      縦枠部
６３      取付ケース
６３ａ    開口（第２開口）
７        引き戸（戸）
７１      取付ケース
７１ａ    開口（第１開口）
【図１】
2014169583.tif 000003
【図２】
2014169583.tif 000004
【図３】
2014169583.tif 000005
【図４】
2014169583.tif 000006
【図５】
2014169583.tif 000007
【図６】
2014169583.tif 000008